(57)【要約】【課題】  画像形成に使用される資源に対し、ユーザーが希望する節約率を、容易にかつ正確に達成可能でユーザーが希望する節約率を基準に省資源関連モードを設定する画像形成装置及びその節約方法を提供する。【解決手段】  画像形成に使用される資源を節約する省資源モードを備えた画像形成装置は、省資源モードを指示するためのモード指示手段１０１と、資源関連モードから節約したい資源を設定する資源モード設定手段１１１，１１２，１１３と、ユーザーが指示する節約率により設定される資源の節約率を指定する資源の節約率設定手段と、設定された節約率を達成するための省資源動作モードの選択をする省資源動作モードの選択手段とを具備する。【選択図】        図３
2005062290.tif 000002
【特許請求の範囲】
【請求項１】
画像形成に使用される資源を節約する省資源モードを備えた画像形成装置において、
前記省資源モードを指示するためのモード指示手段と、節約する資源モードを設定するモード設定手段と、節約する資源の節約率を指定する資源の節約率設定手段と、設定された節約率を達成するための省資源動作モードの選択をする省資源動作モードの選択手段とを備え、
前記資源モード設定手段は、資源関連モードから節約したい資源を選択して設定し、前記節約率設定手段はユーザーが指示する節約率により設定されるとともに、前記省資源動作モードの選択手段は該設定された節約率を基準に節約手段の選択をなすことを特徴とする画像形成装置。
【請求項２】
前記資源モード設定手段、省資源動作モードの選択手段は対話形式で繰り返し設定、選択できることを特徴とする請求項１に記載の画像形成装置。
【請求項３】
画像形成装置の画像形成に使用される資源の節約方法において、
画像形成に使用される資源の節約を指示する節約モード指示ステップと、節約したい資源を選択して設定する資源モード設定ステップと、前記設定された資源に対する節約率を指定する節約率設定ステップと、設定された節約率を達成するための省資源動作モードの選択をする省資源動作モードの選択ステップとを備え、
前記節約率設定ステップはユーザーが指示する節約率により設定されるとともに、省資源動作モードの選択ステップは該設定された節約率に応じた省資源モードをユーザーが選択することを特徴とする画像形成装置における画像形成に使用する資源の節約方法。
【請求項４】
前記資源モード設定ステップ、省資源動作モードの選択ステップは対話形式で繰り返し設定、選択できることを特徴とする請求項３に記載の画像形成に使用する資源の節約方法。
【請求項５】
請求項３または４記載の資源の節約方法をコンピュータに実行させることを特徴とするプログラム。
【請求項６】
請求項５記載のプログラムが記憶されたコンピュータ読み取り可能な記録媒体。
【発明の詳細な説明】
【技術分野】
【０００１】
本発明は、画像形成に使用するトナーや用紙といった資源の節約を促進可能とした画像形成装置及び、その節約方法、プログラム、並びに記憶媒体に関する。
【背景技術】
【０００２】
近年、ユーザーの省エネルギー志向の高まりに加えて、日本では省エネ法、海外でもエナジースターやブルーエンジェルといった法的な規制に伴ない、消費電力の低減が重要視されてきている。これに伴ない、デジタル複写機においてもトナーや用紙といった資源について節約することが重要視されてきている。
【０００３】
このような中で、省エネ化と操作性に関する先行技術としては、特許文献１に省エネ対応の画像形成装置が提案されている。
【特許文献１】特開２００３−１２７５０４号公報
【発明の開示】
【発明が解決しようとする課題】
【０００４】
しかしながら、トナーや用紙といった資源を節約することをユーザーが意識していたとしても、実際の使用に際しては様々なモードを設定するのに手間がかかったり、省資源を意識していない場合が多いという問題がある。その理由として、以下のものが考えられる。
どのような使い方でどれくらいトナーや用紙などの資源が節約できるかが実感できない。
オフィスの場合では、省資源を実践しようという意識が一般家庭に比べて低い。
また、これら課題に対し例えば、上記特許文献１に開示されている従来技術のように、省資源モードを指示し、省資源関連モードを設定するためのモード設定をユーザーが設定していくことにより、ユーザーが設定した省資源関連のモードに対する結果として、各設定モードによって節約される省資源率が積上げ算方式で表示されるが、この方法では、例えばユーザーが省資源率を３０％達成したいと考えた場合、各設定モードが設定された後、その結果の省資源率が表示される構成となっているので、ユーザーが希望する省資源率を達成できない場合やオーバーしてしまう場合が発生する。
【０００５】
本発明は、上記課題を解決するためになされたもので、画像形成に使用される資源に対し、ユーザーが希望する節約率を、容易にかつ正確に達成可能でユーザーが希望する節約率を基準に省資源関連モードを設定する画像形成装置及びその節約方法を提供することを目的とする。
【課題を解決するための手段】
【０００６】
上記目的を達成するため、本発明の画像形成に使用される資源を節約する省資源モードを備えた画像形成装置は、省資源モードを指示するためのモード指示手段と、節約する資源モードを設定するモード設定手段と、節約する資源の節約率を指定する資源の節約率設定手段と、設定された節約率を達成するための省資源動作モードの選択をする省資源動作モードの選択手段とを具備する。
そして、資源モード設定手段は、資源関連モードから節約したい資源を選択して設定し、前記節約率設定手段はユーザーが指示する節約率により設定される。そして省資源動作モードの選択手段は該設定された節約率を基準に、設定された節約率を達成できる節約手段を提示して選択することが可能な構成を具備している。
また、資源モード設定手段、省資源動作モードの選択手段は対話形式で繰り返し設定、選択できる。
【０００７】
本発明の画像形成に使用される資源の節約方法は、画像形成に使用される資源の節約を指示する節約モード指示ステップと、節約したい資源を選択して設定する資源モード設定ステップと、前記設定された資源に対する節約率を指定する節約率設定ステップと、設定された節約率を達成するための省資源動作モードの選択をする省資源動作モードの選択ステップとを備えている。そして、節約率設定ステップはユーザーが所望する節約率を指定することにより設定されるとともに、省資源動作モードの選択ステップは該設定された節約率に応じた省資源モードをユーザーが選択することを特徴とする。
資源モード設定ステップ、省資源動作モードの選択ステップは対話形式で繰り返し設定、選択できる。
【０００８】
本発明のプログラムは上記資源の節約方法をコンピュータに実行させる。
本発明の記録媒体は上記プログラムをコンピュータが読み取り可能に記憶されている。
【発明の効果】
【０００９】
本発明によれば、画像形成に使用される資源の節約率をユーザーが自由に選択し、その節約率に応じた各種節約モードをユーザーが選択し設定することにより、ユーザーに省資源を意識した使用を促進させることが可能となる。
【発明を実施するための最良の形態】
【００１０】
以下、本発明を図面に示す一実施例の形態を参照して説明する。
図１は画像形成装置本体を示す図である。
スキャナ部３１は透明ガラスからなる原稿載置台３５、原稿載置台３５上へ自動的に原稿を供給搬送するための両面対応自動原稿送り装置（ＲＡＤＦ）３６、及び原稿載置台３５上に載置された原稿の画像を走査して読み取るための原稿画像読み取りユニット、すなわちスキャナユニット４０から構成されている。
このスキャナ部３１にて読み取られた原稿画像は、画像データとして後述する画像データ入力部へと送られ、画像データに対して所定の画像処理が施される。
上記ＲＡＤＦ３６には、備えられた図示しない原稿トレイ上に複数枚の原稿を一度にセットしておき、セットされた原稿を１枚ずつ自動的にスキャナユニットの原稿載置台上へ給送する装置である。またＲＡＤＦ３６は、オペレーターの選択に応じて原稿の片面または両面をスキャナユニットに読み取らせるように、片面原稿のための搬送経路、両面原稿のための搬送経路、搬送経路切り換え手段、各部を通過する原稿の状態を把握し管理するセンサー群、および制御部などから構成されている。このＲＡＤＦ３６については、従来から多くの出願、商品化がなされているので、これ以上の説明は省略する。
【００１１】
原稿載置台３５上の原稿の画像を読み取るためのスキャナ部３１を構成するスキャナユニット４０は、原稿面上を露光するランプリフレクターアセンブリ４１と、原稿からの反射光像を光電変換素子（ＣＣＤ）に導くための原稿からの反射光を反射する第１の反射ミラー４２ａを搭載してなる第１の走査ユニット４０ａ、また第１の反射ミラーユニット４０ａからの反射光像を光電変換素子（ＣＣＤ）に導くための第２、第３反射ミラー４２ｂ、４２ｃを搭載してなる第２の走査ユニット４０ｂ、原稿からの反射光像を上述した各反射ミラーを介して電気的画像信号に変換する素子（ＣＣＤ）上に結像させるための光学レンズ４３、および原稿からの反射光像を電気的画像信号に変換する上述したＣＣＤ素子４４から構成される。
スキャナ部３１は、上記ＲＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
特に第１走査ユニット４０ａは、原稿載置台に沿って左から右へと一定速度Ｖで走行され、また第２走査ユニット４０ｂは、その速度Ｖに対してＶ／２の速度で同一方向に平行に走査制御される。
これにより、原稿載置台３５上に載置された原稿の画像を１ライン毎に順次ＣＣＤ素子４４へと結像させて画像を読み取ることとなる。
【００１２】
原稿画像をスキャナユニット４０にて読み取ることにより得られた画像データは、後述する画像処理部へ送られ、各種処理が施された後、画像処理部のメモリーに一旦記憶され、出力指示に応じてメモリー内の画像を読み出してレーザープリンター部３２に転送して記録シート上に画像を形成させる。
このレーザープリンター部３２は画像を形成させるための記録材であるシートの搬送系、レーザー書き込みユニット４６、および画像を形成するための電子写真プロセス部４８を備えている。
レーザー書き込みユニット４６は、上述したスキャナユニット４０にて読み取った後のメモリーから読み出した画像データ、または外部の装置から転送されてきた画像データに応じてレーザー光を出射する半導体レーザー光源、レーザー光を等角速度偏向するポリゴンミラー、等角速度で偏向されたレーザー光が電子写真プロセス部４８を構成する感光体ドラム上で等角速度で偏向されるように補正するｆ−θレンズなどを有している。
上記電子写真プロセス部４８は、周知である感光体ドラムの周囲に帯電装置、現像装置、転写装置、剥離装置、クリーニング装置、除電装置を備えている。
【００１３】
一方、シートの搬送系は、上述した画像形成を行う電子写真プロセス部の特に転写装置が配置された転写位置へとシートＰを搬送する搬送部３３、該搬送部３３へとシートＰを送り込むためのカセット給紙装置５１、５２、５３または、必要なサイズのシートを適宜給紙するための手差し給紙装置５４、転写後のシートＰに形成された画像、特にトナー像を定着するための定着装置４９、定着後のシートＰの裏面に再度画像を形成するためにシートＰを再供給するための再供給経路５５とを備えている。
また、定着装置４９の下流側には、画像が記録されたシートＰを受け取り、このシートＰに対して所定の処理を施す後処理装置が配置されている。
レーザー書き込みユニット４６及び電子写真プロセス部４８において、画像メモリーから読み出された画像データは、レーザー書き込みユニット４６によってレーザー光線を走査させることにより感光体ドラム４８の表面上に静電潜像として形成され、トナーにより可視像化されたトナー像は多段給紙ユニットのいずれかの給紙部から搬送された用紙の面上に静電転写され定着される。
このようにして画像が形成された用紙は定着装置４９から排紙ローラ５７を経由して後処理装置３４内へと搬送される。
【００１４】
ここで、本発明の画像形成装置により、ユーザーに省資源を意識した使用を促進させる具体的な方法について説明する。
本発明の画像形成装置は資源の節約（省資源）を設定する手段を設け、ユーザーに設定・選択させるための操作キーを操作パネルに表示させる構成となっている。例えば、画像形成に使用するトナーや用紙といった資源を節約する省資源モードを指示するため省資源モードキー、資源モード設定キー、省資源動作モード選択キー、などを操作パネル１００に表示させる構成となっている。
そして、省資源モードを指示するためのモード指示キーが押下されると、省資源関連のモードとして、トナーと用紙の省資源率をユーザーが対話形式で指示可能に表示し、指示された省資源率に応じて画像形成に使用する資源としてのトナー及び用紙の節約手段をユーザーが任意に設定する構成となっている。
【００１５】
図２は、本実施形態における操作パネル１００の表示例を示す図である。この表示はデフォルトの画面を示している。
ユーザーは操作パネル１００に表示されているモード指示手段である省資源モードキー１０１を押下することにより省資源モードが選択・指示され、省資源関連のモードを対話方式で指示（選択）することができる。
省資源モードキー１０１を押下すると、図３に示すように、省資源関連モードの中から用紙あるいはトナーあるいは用紙とトナーの３つの中から、節約をしたい資源（用紙、トナー、用紙とトナー）を用紙タッチパネルキー１１１、トナーのタッチパネルキー１１２、用紙とトナーのタッチパネルキー１１３から選択・設定するための画面、が表示される。
例えば、ユーザーが用紙を５０％節約したい場合、前記画面上にて、用紙キー１１１を押下する。そしてし、「次へ」２０１を押下すると、図４に示すような、ユーザーが用紙を節約したい節約率を設定する画面が表示される。
【００１６】
ユーザーが用紙を５０％節約したい場合、この画面にて入力部２００に「５０」を入力、設定する。用紙の節約率を設定の上、「次へ」３０１を押下すると、図５に示すような画面に切り替わる。
図５は、設定された省資源率を達成するための手段を選択する画面の表示例を示す図である。
用紙の省資源率５０％を達成する方法としては、用紙の表・裏両方にプリントを行うことにより、用紙を半減する方法がある。例えば前記図５に示す実施例では、両面コピーのタッチパネルボタン１２１がこれに相当する。この他の方法として、Ｂ４→Ｂ５というように原稿の半分の大きさの用紙にプリントすることによりこれを達成する半減方法もある。例えば前記図５に示す実施例では、縮小レイアウトのタッチパネルボタン１２２がこれに相当する。また前記これら両方を組み合わせて実施する方法も考えられる。両面コピー＆縮小レイアウトのタッチパネルボタン１２３がこれに相当する。
これらの省資源を達成する動作（方法）を表示することによって、ユーザーは用紙の省資源率５０％を達成するための具体的な方法を確認することができる。
しかし、画像形成装置に両面コピー用装置がついていない場合には、図５に示す省資源モード選択画面上のタッチパネルボタン表示は入れない。
【００１７】
これらの方法からユーザーは自分の好みに最も適した方法、例えばここでは、縮小レイアウト１２２を選択し、「次へ」４０１を押下すると、図６に示すような画面表示に切り替わる。
図６は、ユーザーが選択した所望のモード（縮小レイアウトモード）によって、設定した省資源率を達成するために実施されるコピーに対する出力方法を、確認する画面の表示例を示す図である。図６に示す例では、先に設定した省資源率５０％を達成するために必要な縮小レイアウト率５０％が表示され、その表示された縮小レイアウト率５０％に対し、それでよければ、「はい」５１０を押下し、よくなければ、「いいえ」５２０を押下する。仮に「いいえ」を選択し、「次へ」５０１を押下すると、再度省資源に関する設定をやり直すため、図５に示す省資源関連モードの中から用紙あるいはトナーあるいは用紙とトナーの３つの中から、節約をしたいものを選択・設定するための画面へ戻る。
また、「はい」５１０を選択し、「次へ」５０１を押下すると、図７に示す画面が表示される。
図７は省資源関連のモ−ドを全て設定し終わった後にコピ−開始可能な状態となった表示例を示す図である。図７に示す例では、ユ−ザ−が用紙省資源５０％を設定したものに対し、前記用紙省資源率５０％を達成するための選択モ−ドとして、片面印刷及び縮小レイアウト５０％の設定にて前記用紙省資源率５０％を達成できることを実感（確認）することができる。
【００１８】
また、図３に示す、省資源関連モードの中からトナーを選択した場合（トナーのタッチパネルキー１１２を押す）の実施例を図８以下に示す。
例えば、ユーザーがトナーを３０％節約したい場合、前記画面上にて、トナーキー１１２を押下し、「次へ」２０１を押下すると、図８に示すような、ユーザーが用紙を節約したい節約率を設定する画面が表示される。ユーザーがトナーを３０％節約したい場合、この画面にて省資源率入力部２００に「３０」を入力、設定する。
前記設定の上、「次へ」６０１を押下すると、図９に示すような画面に切り替わる。
図９は、設定された省資源率を達成するための手段を選択する画面の表示例を示す図である。
トナーの省資源率３０％を達成する方法としては、トナーの濃度を低くすることにより、トナーの消費量を削減する方法がある。例えば前記図９に示す実施例では、トナー濃度のタッチパネルボタン１３１がこれに相当する。この他の方法として、Ａ４→Ｂ５というように原稿を縮小用紙にプリントすることによりこれを達成する方法もある。例えば図９に示す実施例では、縮小レイアウトのタッチパネルボタン１３２がこれに相当する。また前記これら両方を組み合わせて実施する方法も考えられる。例えば図９に示す実施例では、トナー濃度＆縮小レイアウトのタッチパネルボタン１３３がこれに相当する。
これらを表示することによって、ユーザーはトナーの省資源率３０％を達成するための具体的な方法を確認することができる。
【００１９】
前記これらの中からユーザーは自分の好みに最も適した方法、例えばここでは、トナー濃度キー１３１によりトナー濃度を選択し、「次へ」７０１を押下すると、図１０に示すような画面表示に切り替わる。
図１０は、ユーザーが選択した所望のモードによって、設定した省資源率を達成するために実施されるコピーに対する出力方法を、確認する画面の表示例を示す図である。図１０に示す例では、先に設定したトナーの省資源率３０％を達成するために必要なトナー濃度削減率３０％が表示され、その表示されたトナー濃度削減率３０％に対し、それでよければ、「はい」７１０を押下し、よくなければ、「いいえ」７２０を押下する。仮に「いいえ」７２０を選択し、「次へ」８０１を押下すると、再度省資源に関する設定をやり直すため、図３に示す省資源関連モードの選択、設定に戻り、操作パネルの中から用紙あるいはトナーあるいは用紙とトナーの３つから、節約をしたいものを選択・設定するための画面へ戻る。
また、「はい」７１０を選択し、「次へ」８０１を押下すると、図１１に示すような画面が表示される。
図１１は省資源関連のモ−ドを全て設定し終わった後にコピ−開始可能な状態となった表示例を示す図である。図１１に示す例では、ユ−ザ−がトナー省資源率３０％を設定したものに対し、前記トナー省資源率３０％を達成するための選択モ−ドとして、トナー濃度３０％削減の設定にて前記トナー省資源率３０％を達成できることを実感（確認）することができる。
また、図３に示す、省資源関連モードの中から用紙とトナーの両方を選択した場合の実施例を図１２以下に示す。これは用紙をＮ１％、トナーをＮ２％同時に節約したい場合である。
例えば、ユーザーが用紙をＮ１％、トナーをＮ２％同時に節約したい場合、前記画面上にて、用紙／トナーキーを押下し、「次へ」２０１を押下すると、図１２に示すような、ユーザーが節約したい用紙とトナーの節約率を設定する画面が表示される。ユーザーが用紙をＮ１％、トナーをＮ２％同時に節約したい場合、この画面にて省資源率入力部３００，４００にそれぞれの値を入力、設定する。
前記設定の上、「次へ」９０１を押下すると、図１３に示すような画面に切り替わる。
図１３は、設定されたそれぞれの省資源率を達成するための手段を選択する画面の表示例を示す図である。用紙の省資源率Ｎ１％、トナーの省資源率Ｎ２％を同時に達成する方法としては、Ａ４→Ｂ５というように原稿を縮小用紙にプリントし、同時にトナーの濃度を低くし、さらに両面コピーとすることで、用紙の使用量を削減し同時にトナーの消費量を削減する方法がある。例えば図１３に示す実施例では、縮小レイアウト＆トナー濃度＆両面コピーのタッチパネルボタン１４１がこれに相当する。また省資源方法より、両面コピーを除いて用紙とトナーの省資源を達成する方法もある。例えば図１３に示す実施例では、縮小レイアウト＆トナー濃度のタッチパネルボタン１４３がこれに相当する。また同様に省資源方法より、トナー濃度を除いて用紙とトナーの省資源を達成する方法もある。例えば図１３に示す実施例では、両面コピー＆縮小レイアウトのタッチパネルボタン１４４がこれに相当する。この他の方法として、Ａ４→Ｂ５というように原稿を縮小用紙にプリントすることにより用紙とトナーの省資源を達成する方法もある。例えば図１３に示す実施例では、縮小レイアウトのタッチパネルボタン１４２がこれに相当する。これらを表示することによって、ユーザーは用紙及びトナーを同時に省資源を達成するための具体的な方法を確認することができる。
【００２０】
前記これらの中からユーザーは自分の好みに最も適した方法、例えばここでは、縮小レイアウト＆トナー濃度＆両面コピー１４１を選択し、「次へ」１００１を押下すると、図１４に示すような画面表示に切り替わる。
図１４は、ユーザーが選択した所望のモードによって、設定したそれぞれの省資源率を達成するために実施されるコピーに対する具体的な出力方法を、ユーザーが自分の好みに最も適した方法を選択し、設定する画面の表示例である。図１４に示す例では、先に設定したそれぞれの省資源率を達成するために必要な具体的な出力方法が、符号１５１、１５２、１５３で示すように表示される。この表示された具体的な出力方法を、ユーザーが自分の好みに最も適した方法を選択し、「次へ」１１０１を押下すると、図１５に示すような画面が表示される。
図１５は省資源関連のモ−ドを全て設定し終わった後にコピ−開始可能な状態となった表示例を示す図である。図１５に示す例では、ユ−ザ−が用紙省資源率Ｎ１％、トナー省資源率Ｎ２％を設定したものに対し、それぞれの省資源率を達成するための選択モ−ドとして、縮小レイアウトＮａ％、トナー濃度Ｎｂ％、両面コピーの設定にてそれぞれの省資源率を達成できることを実感することができる。
【００２１】
次に、画像形成装置における省資源モードの制御方法を図１６を参照して説明する。図１６は、省資源モード処理を示すフローチャートである。
まず、ステップＳ８１において、操作パネルの画面表示からユーザーが省資源モードキー１０１を押下して省資源関連のモードの設定が指示されると、ステップＳ８２へ進み、操作パネルの画面表示を図３に示すような省資源関連モードの中から最初のモ−ドの選択用の画面表示に切り替え、節約したい資源を選択させるモードとする。最初のモ−ドは省資源の設定を選択するモ−ドである。
次に、ステップＳ８３において、ユ−ザ−が節約したい資源を選択用の表示の中から、所望のモ−ドを選択し、「次へ」２０１が押下されると、ステップＳ８４へ進み、選択された節約したい資源の節約率の設定を実行。所望の節約率を設定後、「次へ」３０１が押下されると、ステップＳ８５へ進み、ステップＳ８３で選択された資源に対し、ステップＳ８４で設定された節約率を達成するための、省資源モ−ドの選択画面に切り替える。このステップＳ８５において、ユーザーが自分の好みに最も適した方法を図５に示すような省資源モードの中から選択する。「次へ」が押下されるとステップＳ８６へ進む。
ステップＳ８６では、ステップＳ８５にて選択された省資源モードにて、ステップＳ８４で設定された節約率を達成するための具体的なモ−ド設定値を表示し、省資源を達成する手段の決定を行う。
ステップＳ８６で「はい」が選択され、「次へ」が押下された場合はそのままステップＳ８７へ進む。ステップＳ８６で「いいえ」が選択され、「次へ」が押下された場合はステップＳ８２に戻り、再度省資源に関する設定をやり直すため、図３に示す省資源関連モードの中から用紙あるいはトナーあるいは用紙とトナーの３つの中から、節約をしたいものを選択・設定するための画面へ戻る。
ステップＳ８７では図７に示すように、設定された省資源率による、選択モ−ドを表示し、スタ−トキ−が押下されるとステップＳ８８へ進み、画像形成を行う。
【００２２】
以上説明した実施形態によれば、トナ−や用紙といった資源を節約するための省資源モ−ドキ−を設け、省資源率に応じて動作モ−ドを設定することにより、煩雑な操作なしにユ−ザ−が所望する自分の好みに最も適した方法を、対話形式で選択して設定でき、且つユーザーが所望する省資源率を達成するための具体的な方法を確認することができるため、オフィス等における省資源促進効果が期待できる。
この例では、省資源関連のモ−ドとして「両面」、「縮小レイアウト」、「トナ−濃度」のみとしたが、その他にもトナ−や用紙を節約する動作モードとして、例えば解像度や書体、行間ピッチ等の動作モ−ドを加えても良い。
【００２３】
また、この例では、入力された省資源率とイコールの設定値を表示するように記載しているが、例えばユーザーが概算で７０％の省資源率を入力した場合、その数値に近い省資源率の推奨率例えば６０％〜８０％の省資源率のモードを表示しユーザーが選択可能にすることによって、さらにユーザーの選択肢が増え、省資源促進効果をアップさせることも可能である。
【図面の簡単な説明】
【００２４】
【図１】本実施形態のおける画像形成装置の構造を示す断面図である。
【図２】本実施形態における操作パネルの表示例を示す図である。
【図３】省資源モードを選択、設定するための画面を示す図である。
【図４】ユーザーの所望する用紙に対する省資源率を入力、設定するための画面を示す図である。
【図５】設定された用紙に対する省資源率を達成するための手段を選択する画面を示す図である。
【図６】ユーザーが選択した所望のモードによって、設定した用紙に対する省資源率を達成するために実施されるコピーに対する出力方法を、確認する画面を示す図である。
【図７】用紙に対する省資源関連のモ−ドを全て設定し終わった後にコピ−開始可能な状態となった画面を示す図である。
【図８】ユーザーの所望するトナーに対する省資源率を入力、設定するための画面を示す図である。
【図９】設定されたトナーに対する省資源率を達成するための手段を選択する画面を示す図である。
【図１０】ユーザーが選択した所望のモードによって、設定したトナーに対する省資源率を達成するために実施されるコピーに対する出力方法を、確認する画面を示す図である。
【図１１】トナーに対する省資源関連のモ−ドを全て設定し終わった後にコピ−開始可能な状態となった画面を示す図である。
【図１２】ユーザーの所望する用紙とトナーに対する省資源率を入力、設定するための画面を示す図である。
【図１３】設定された用紙とトナーに対する省資源率を達成するための手段を選択する画面を示す図である。
【図１４】設定された用紙とトナーに対する省資源率を達成するために選択された手段に対し、さらに具体的な達成手段を選択する画面を示す図である。
【図１５】用紙とトナーに対する省資源関連のモ−ドを全て設定し終わった後にコピ−開始可能な状態となった画面を示す図である。
【図１６】本実施形態のおける省資源モード処理を示すフローチャートである。
【符号の説明】
【００２５】
１００  操作パネル
１０１  省資源モードキー
１１１  用紙タッチパネルキー
１１２  トナータッチパネルキー
１１３  用紙とトナータッチパネルキー
１２１  両面コピータッチパネルキー
１２２  縮小レイアウトタッチパネルキー
１２３  両面コピー＆縮小レイアウトタッチパネルキー
１３１  トナー濃度キー
１３２  縮小レイアウトキー
１３３  トナー濃度＆縮小レイアウトキー
１４１  縮小レイアウト＆トナー濃度＆両面コピーキー
１４２  縮小レイアウトキー
１４３  縮小レイアウト＆トナー濃度キー
１４４  両面コピー＆縮小レイアウトキー
２００，３００，４００  入力部
【図１】
2005062290.tif 000003
【図２】
2005062290.tif 000004
【図３】
2005062290.tif 000005
【図４】
2005062290.tif 000006
【図５】
2005062290.tif 000007
【図６】
2005062290.tif 000008
【図７】
2005062290.tif 000009
【図８】
2005062290.tif 000010
【図９】
2005062290.tif 000011
【図１０】
2005062290.tif 000012
【図１１】
2005062290.tif 000013
【図１２】
2005062290.tif 000014
【図１３】
2005062290.tif 000015
【図１４】
2005062290.tif 000016
【図１５】
2005062290.tif 000017
【図１６】
2005062290.tif 000018